(57)【要約】動画が蓄積されている情報機器において、複数のアプリケーションに動画データを提供し、あるいは、複数の機器間での動画利用機能を向上する。動画データを識別する識別情報と関連づけて動画データを格納するデータベース部と、動画データを再生する複数のアプリケーションのいずれかから、識別情報によって指定された動画データの読み出し要求を受け付ける受け付け部と、読み出し要求で指定された動画データをデータベース部から読み出し、読み出し要求元のアプリケーションに引き渡す出力部と、出力部から出力される動画データを再生する複数のアプリケーションを実行する実行部と、を備える。
2009016759.tif 000002
【特許請求の範囲】
【請求項１】
動画データを識別する識別情報と関連づけて前記動画データを格納するデータベース部と、
動画データを再生する複数のアプリケーションのいずれかから、前記識別情報によって指定された動画データの読み出し要求を受け付ける受け付け部と、
前記読み出し要求で指定された動画データを前記データベース部から読み出し、前記読み出し要求元のアプリケーションに引き渡すデータ管理部と、
前記データ管理部から引き渡される動画データを再生する複数のアプリケーションを実行する実行部と、を備える情報機器。
【請求項２】
前記動画データ管理部は、動画データの入力要求を受け付け、その入力要求にしたがって前記動画データを入力する入力部を有する請求項１に記載の情報機器。
【請求項３】
前記実行部で実行されるアプリケーションには、電話帳管理アプリケーション、壁紙表示アプリケーション、日記作成表示アプリケーション、および動画アルバムアプリケーションの少なくとも２以上が含まれる請求項１または２に記載の情報機器。
【請求項４】
他の情報機器と通信する通信部と、
前記送信するデータを前記他の情報機器にて表示されるデータ形式に変更するデータ形式変更部と、をさらに備え、
前記データ管理部は、前記通信部を介して前記他の情報機器にない動画データで前記データベース部に格納されている動画データまたは前記データベース部に格納されている動画データで前記他の情報機器にある動画データよりも更新日時が新しい動画データの送信要求を受け付けるとともに、送信要求を受け付けた動画データで、前記データ形式が変更された動画データを前記他の情報機器に送信する請求項１から３のいずれかに記載の情報機器。
【請求項５】
前記動画データの送信要求は、前記アプリケーションによる処理の対象となるべきデータの範囲と、処理の対象とならないデータの範囲とを区別するためのデータ範囲の指定情報を含む請求項４に記載の情報機器。
【請求項６】
前記入力部は、前記アプリケーションによる処理の対象とすることが許容される許容データ範囲の入力を受け付けるデータ範囲受け付け部をさらに備え、
前記データベース部は、前記動画データとともに前記入力された許容データ範囲を格納する請求項１から５のいずれかに記載の情報機器。
【請求項７】
前記他の情報機器の現在のユーザを指定する情報を取得する相手ユーザ情報獲得部と、
前記データベース部に格納された動画データのユーザを識別する情報を取得する自ユーザ情報獲得部と、をさらに備え、
前記データ管理部は、前記相手ユーザ情報と前記自ユーザ情報とが整合しないときに、前記許容データ範囲に限定して前記データを送信し、前記相手ユーザ情報と前記自ユーザ情報とが整合するときに、前記許容データ範囲に限定することなく前記データを送信する請求項４から６のいずれかに記載の情報機器。
【請求項８】
前記データ管理部は、前記データベース部にない動画データで前記他の情報機器に格納されている動画データまたは前記他の情報機器にある動画データで前記データベース部に格納されている動画データよりも更新日時が新しい動画データの送信を要求し、その要求にしたがって送信される動画データを受信し、前記データベースに格納する請求項４から７のいずれかに記載の情報機器。
【請求項９】
コンピュータに、動画データを識別する識別情報と関連づけて前記動画データを格納する、そのようなデータベース部を管理させるプログラムであり、
動画データを再生する複数のアプリケーションのいずれかから、前記識別情報によって指定された動画データの読み出し要求を受け付けるステップと、
前記読み出し要求で指定された動画データを前記データベース部から読み出し、前記読み出し要求元のアプリケーションに引き渡すステップと、を実行させるプログラム。
【請求項１０】
動画データの識別情報とともに前記動画データの入力要求を受け付ける入力受け付けステップと、
前記入力要求にしたがって前記動画データを前記動画データベースに入力する入力ステップと、をさらに備える請求項９に記載のプログラム。
【請求項１１】
他の情報機器と通信する通信ステップと、
前記他の情報機器にない動画データで前記データベース部に格納されている動画データまたは前記データベース部に格納されている動画データで前記他の情報機器にある動画データよりも更新日時が新しい動画データの送信要求を受け付けるステップと、
前記動画データを前記他の情報機器にて表示されるデータ形式に変更するデータ形式変更ステップと、
前記送信要求を受け付けた動画データで前記データ形式が変更された動画データを前記他の情報機器に送信するステップと、をさらに実行する請求項９または１０に記載のプログラム。
【請求項１２】
前記動画データの送信要求は、前記アプリケーションによる処理の対象となるべきデータの範囲と、処理の対象とならないデータの範囲とを区別するためのデータ範囲の指定情報を含む請求項１１に記載のプログラム。
【請求項１３】
前記入力受け付けステップは、前記アプリケーションによる処理の対象とすることが許容される許容データ範囲の入力を受け付けるデータ範囲受け付けステップを有し、
前記入力ステップは、前記動画データとともに前記入力された許容データ範囲を格納するステップとをさらに実行する請求項１０に記載のプログラム。
【請求項１４】
前記他の情報機器の現在のユーザを指定する情報を取得する相手ユーザ情報獲得ステップと、
前記データベース部に格納された動画データのユーザを識別する情報を取得する自ユーザ情報獲得ステップと、
前記相手ユーザ情報と前記自ユーザ情報とが整合しないときに、前記許容データ範囲に限定して前記データを送信し、前記相手ユーザ情報と前記自ユーザ情報とが整合するときに、前記許容データ範囲に限定することなく前記データを送信するステップとをさらに実行する請求項１１から１３のいずれかに記載のプログラム。
【請求項１５】
前記データベース部にない動画データで前記他の情報機器に格納されている動画データまたは前記他の情報機器にある動画データで前記データベース部に格納されている動画データよりも更新日時が新しい動画データの送信を要求するステップと、
前記要求にしたがって送信される動画データを受信するステップと、
前記受信した動画データを前記動画データベースに格納するステップと、をさらに実行する請求項１１から１４のいずれかに記載のプログラム。
【請求項１６】
プログラムをコンピュータにローディングするためのコンピュータ読み取り可能な記録媒体であり、前記プログラムは、前記コンピュータに、動画データを識別する識別情報と関連づけて前記動画データを格納するデータベース部を管理させるプログラムであり、
動画データを再生する複数のアプリケーションのいずれかから、前記識別情報によって指定された動画データの読み出し要求を受け付けるステップと、
前記読み出し要求で指定された動画データを前記データベース部から読み出し、前記読み出し要求元のアプリケーションに引き渡すステップと、を実行させるプログラムを記録したコンピュータ読み取り可能な記録媒体。
【請求項１７】
動画データを識別する識別情報と関連づけて前記動画データを格納するデータベース部を有するコンピュータが、
動画データを再生する複数のアプリケーションのいずれかから、前記識別情報によって指定された動画データの読み出し要求を受け付けるステップと、
前記読み出し要求で指定された動画データを前記データベース部から読み出し、前記読み出し要求元のアプリケーションに引き渡すステップと、を実行する方法。
【発明の詳細な説明】
【技術分野】
【０００１】
本発明は、画像を利用する情報機器に関するものである。
【背景技術】
【０００２】
今日、画像を用いて機能を提供する情報機器が急速に普及している。例えば、携帯電話には、静止画、動画等を撮影できるものが多い。また、パーソナルコンピュータでは、テレビジョン番組の動画を録画できるものがある。【０００３】
しかし、従来の仕組みでは、１つの機器上の複数のアプリケーションで、画像を共有する場合、あるいは、複数の機器間で画像を共有する場合の利便性に欠けるものが多かった。特に、動画を利用するアプリケーションに対して、簡易に動画を利用するインターフェースが提供されていなかった。【０００４】
例えば、動画が蓄積されている機器において、動画再生以外のアプリケーションプログラムにてその動画を簡易に利用する機能は提供されていなかった。また、第１の機器に蓄積した動画を第２の機器に提供し、第２の機器上のアプリケーションプログラムにて処理する場合の機能が十分ではなかった。
【特許文献１】特開２００６−２５３９６０号公報
【特許文献２】特開２００５−２０４４０号公報
【特許文献３】国際公開第ＷＯ２００２／０９１２５９号パンフレット
【発明の開示】
【発明が解決しようとする課題】
【０００５】
本発明は、動画が蓄積されている情報機器において、複数のアプリケーションに動画を提供し、あるいは、複数の機器間での動画利用機能を向上することを目的とする。
【課題を解決するための手段】
【０００６】
上記課題を解決するために、本発明は以下の手段を採用した。すなわち、本発明は、動画データを識別する識別情報と関連づけて動画データを格納するデータベース部と、動画データを再生する複数のアプリケーションのいずれかから、識別情報によって指定された動画データの読み出し要求を受け付ける受け付け部と、読み出し要求で指定された動画データをデータベース部から読み出し、読み出し要求元のアプリケーションに引き渡すデータ管理部と、データ管理部から引き渡される動画データを再生する複数のアプリケーションを実行する実行部と、を備える情報機器である。【０００７】
本情報機器は、識別情報と関連づけて動画データを動画データベースに格納している。また、本情報機器は、複数のアプリケーションを実行している。本情報機器は、これらのアプリケーションから、識別情報によって指定された動画データの読み出し要求を受け付け、その読み出し要求で指定された動画データをデータベース部から読み出し、読み出し要求元のアプリケーションに引き渡す。したがって、本情報機器は、動画データを必要とする複数のアプリケーションに対して、指定された動画データを簡易、統一的な手順で引き渡すことができる。
【発明の効果】
【０００８】
本発明によれば、動画が蓄積されている情報機器において、複数のアプリケーションに動画を提供し、あるいは、複数の機器間での動画利用機能を向上することができる。
【図面の簡単な説明】
【０００９】
【図１】図１は一実施形態に係る情報処理装置の構成を示すブロック図である。
【図２】図２は本情報処理装置の概念を説明する図である。
【図３】図３は電話帳アプリケーションによる表示例を示す図である。
【図４】図４は壁紙アプリケーションによる表示例を示す図である。
【図５】図５は日記アプリケーションによる表示例を示す図である。
【図６】図６はアルバムアプリケーションによる表示例を示す図である。
【図７】図７は本情報処理装置におけるプログラムの関連図である。
【図８】図８は電話帳データベースのデータ構造を示す図である。
【図９】図９は壁紙データベースのデータ構造を示す図である。
【図１０】図１０は日記データベースのデータ構造を示す図である。
【図１１】図１１はアルバムデータベースのデータ構造を示す図である。
【図１２】図１２は電話帳プログラムの電話帳登録処理のフローチャートである。
【図１３】図１３は電話帳表示処理のフローチャートである。
【図１４】図１４は他の実施形態に係る情報システムの構成を示す図である。
【図１５】図１５は動画データ管理テーブルのデータ構造を示す図である。
【図１６】図１６はシンクロ処理を示す図である。
【図１７】図１７は動画データ管理装置の処理を示す図である。
【図１８】図１８はユーザＩＤにしたがって、動画データの非公開範囲の削除の要否を判断する処理の例を示す図である。
【図１９】図１９は動画データ要求装置側に、動画データベースを設けた構成を示す図である。
【符号の説明】
【００１０】
１    携帯電話
２    表示部
３    カメラ
４    キー
５    動画データベース
１１    動画データベース管理プログラム
１１Ａ  入力部
１１Ｂ  出力部
１２    アプリケーションプログラム
１３    アプリケーションデータ
２０、２４  インターフェース
２１    画像再生装置
２２    有線通信部
２３    無線通信部
【発明を実施するための最良の形態】
【００１１】
以下、図面を参照して本発明の一実施形態に係る情報処理システムを説明する。【００１２】
《システムの骨子》
図１は、本情報処理装置の構成を示すブロック図である。本情報処理装置は、動画データベース５（データベース部に相当）と、動画データベース５に動画データを入力する入力部１１Ａと、動画データベース５から動画データを出力する出力部１１Ｂとを有する。【００１３】
動画データベース５は、複数の動画データを保持する。それぞれの動画データは、動画データファイル名で指定されるファイルに格納されている。また、入力部１１Ａと出力部１１Ｂは、情報処理装置で実行されるプログラムによって実現され、データ管理部１１を構成している。【００１４】
入力部１１Ａは、インターフェース２０を介して１以上の外部機器から動画が入力される。外部機器は、例えば、カメラ３、画像再生装置２１、有線通信部２２に接続される他の情報処理装置、無線線通信部２３に接続される他の情報処理装置等である。【００１５】
カメラ３は、例えば、ＣＣＤ（Charge Coupled Device）カメラ、ＭＯＳ（Metal-Oxide-Semiconductor）イメージセンサ等である。画像再生装置２１は、例えば、ＤＶＤ（Digital Versatile Disk）再生装置、ＣＤ（Compact Disc）再生装置、ハードディスクによるテレビジョン録画装置、テレビジョン受信機等である。【００１６】
有線通信部２２（通信部の第１の例に相当）は、ＬＡＮインターフェース、ＡＤＳＬ（Asymmetric Digital Subscriber Line）回線、光通信回線、ケーブルテレビジョンネットワーク等である。無線通信装置２３（通信部の第２の例に相当）は、無線ＬＡＮインターフェース、携帯電話網へのアクセス装置、ＰＨＳ（Personal Handyphone System）へのアクセス装置等である。【００１７】
また、インターフェース２０は、例えば、ＵＳＢ（Universal Serial Bus）、Fibre Channel 、IEEE1394等である。 入力部１１Ａは、ユーザの操作を検知し、これらの外部機器から動画データを入力し、動画データベース５に格納する。【００１８】
出力部１１Ｂは、情報処理装置で実行されるアプリケーションプログラムに動画データを提供する。アプリケーションプログラムは、動画データを指定する動画データファイル名と、その動画データ中で必要な範囲（開始時間から終了時間）を指定する。出力部１１Ｂは、指定された動画データファイルのうち、開始時間から終了時間の範囲の動画データをアプリケーションプログラム１２に引き渡す。さらに、動画データベース５には、それぞれの動画データの公開範囲（あるいは非公開範囲）が規定されている。出力部１１Ｂは、指定された動画データファイルのうち、公開範囲だけを抽出して、アプリケーションプログラム１２に引き渡す。【００１９】
アプリケーションプログラム１２は、インターフェース２４を介して、そのアプリケーション固有のデータとともに引き渡された動画データを表示部２に表示する。  インターフェース２４は、例えば、ＶＧＡ（Video Graphics Array）等である。また、表示部２は、液晶ディスプレイ、エレクトロルミネッセンスパネル等である。【００２０】
《第１実施形態》
以下、図２から図１３の図面に基づいて本発明の第１実施形態に係る情報処理装置を説明する。図２は、本情報処理装置の概念を説明する図である。本実施形態では、情報処理装置は、例えば、カメラ付きの携帯電話１によって構成される。本情報処理装置は、携帯電話１の操作面に配置される表示部２、各種キー４、および動画と静止画を撮影するカメラ３を有する。さらに、本情報処理装置は、動画データを格納する動画データベース５を有する。動画データベース５は、電話帳、壁紙、日記、アルバム等の各種アプリケーションプログラムに動画データを提供する。【００２１】
本情報処理装置は、通常の携帯電話１の構成、すなわち、基地局と通信する通信部、動画データベース５等のデータあるいは各種プログラムを格納するメモリ、各種プログラムを実行し、動画データベース５等を管理するＣＰＵ（実行部に相当）、外部の機器とデータを入出力する入出力インターフェース（例えば、赤外線通信部、ＵＳＢインターフェース）等を有する。ただし、図２では、通信部、メモリ、ＣＰＵ、および入出力インターフェースは省略されている。【００２２】
動画データベース５には、カメラ３で撮影された動画データ、通信部から受信した動画データ、あるいは、入出力インターフェースを通じて外部の機器から入力された動画データが格納される。【００２３】
図３に、電話帳アプリケーションによる動画表示例を示す。電話帳アプリケーションは、情報処理装置の表示部２に、電話着信先の種別を含むコメント（例えば、図３の”ともだち”）、電話着信先の名前、電話番号および着信先に関連する動画（動画データから再生され、表示部２等に表示された映像を単に動画という）等を含む電話帳データを表示する。また、電話帳アプリケーションは、”テレビジョン電話”、”発信”、”編集”等のそれぞれの機能を起動するメニューボタンを表示する。【００２４】
図４に、壁紙アプリケーションによる表示例を示す。壁紙アプリケーションは、指定された動画を情報処理装置の表示部２の背景に表示する。【００２５】
図５に、日記アプリケーションによる表示例を示す。日記アプリケーションは、情報処理装置の表示部２に、日記文、およびその日記文と関連づけられた動画を表示する。また、日記アプリケーションは、表示されている日記の前日の日記を表示する”前の日”、日記を入力する機能を起動する”書き込み”、表示されている日記の翌日の日記を表示する”次の日”等のメニューボタンを表示する。【００２６】
図６に、アルバムアプリケーションによる表示例を示す。アルバムアプリケーションは、情報処理装置の表示部２に、１以上の動画とそれぞれの動画に対するコメントとを表示する。【００２７】
図７に、本情報処理装置におけるプログラムの関連図を示す。図７に示すように、本情報処理装置は、動画データベース５を管理する動画データベース管理プログラム１１と、動画データベース管理プログラム１１と連携するアプリケーションプログラム１２をＣＰＵ上で実行することで機能を提供する。【００２８】
アプリケーションプログラム１２は、例えば、電話帳、壁紙、日記、アルバム等の各種アプリケーションである。これらのアプリケーションプログラム１２は、それぞれ固有のアプリケーションデータ１３を管理する。アプリケーションデータ１３は、例えば、電話帳アプリケーションに対する電話帳データベース、壁紙アプリケーションに対する壁紙データベース、日記アプリケーションに対する日記データベース、アルバムアプリケーションに対するアルバムデータベース等である。【００２９】
アプリケーションプログラム１２は、動画データベース管理プログラム１１に対して、動画データ読み出し要求を入力する。動画データ読み出し要求は、読み出し対象の動画データファイル名、開始時刻、および終了時刻を含む。ここで、開始時刻と終了時刻は、動画データ中で入手したい時間区間を指定する情報である。開始時刻と終了時刻は、動画データの先頭を０とする時間で指定される。【００３０】
動画データベース管理プログラム１１は、動画データ読み出し要求を受け付けると、指定された動画データファイルから、指定された開始時刻から終了時刻までの動画データを読み出し、アプリケーションプログラム１２に引き渡す。【００３１】
図８に、電話帳データベースのデータ構造を示す。図８の各行がデータベースのレコードであり、１件の電話帳データに相当する。電話帳データは、電話の着信先の名前、電話番号、電話の種別、コメント、その電話帳データに掲載する動画データファイルのファイル名、開始時刻、および終了時刻を含む。このうち、開始時刻は、その電話帳データを表示するときに再生する動画の再生開始位置であり、動画の先頭を基準時刻（原点、０時０分０秒）としたときの開始位置の時刻である。また、終了時刻は、同様に、動画の再生終了位置であり、動画の先頭を基準時刻としたときの終了位置の時刻である。【００３２】
電話帳アプリケーションは、電話帳データを表示するときに、電話帳データベースから該当する着信先の電話帳データを読み出す。以下、情報処理装置がプログラムを実行することで処理を実行する場合に、プログラムがその処理を実行するともいう。【００３３】
さらに、電話帳アプリケーションは、その電話帳データに設定された動画データファイルのファイル名、開始時刻、および終了時刻によって、動画データ読み出し要求を作成し、動画データベース管理プログラム１１に入力する。そして、電話帳アプリケーションは、動画データベース管理プログラム１１から受け取った動画データとともに、電話帳データを表示部２に表示する。【００３４】
図９に、壁紙データベースのデータ構造を示す。図９の各行がデータベースのレコードであり、１件の壁紙管理用データに相当する。壁紙管理用データは、表示中か否かを示す表示中フラグ、動画データファイル名、開始時刻、および終了時刻を含む。壁紙アプリケーションは、表示部２の背景を表示するときに、壁紙データベース中の複数の壁紙管理用データの中から、表示中フラグが“表示中”と設定されている壁紙管理用データを読み出す。さらに、その壁紙管理用データに設定された動画データファイルのファイル名、開始時刻、および終了時刻によって、動画データ読み出し要求を作成し、動画データベース管理プログラム１１に入力する。そして、壁紙アプリケーションは、動画データベース管理プログラム１１から受け取った動画データを表示部２に表示する。【００３５】
図１０に、日記データベースのデータ構造を示す。図１０の各行がデータベースのレコードであり、１日の日記を管理する日記管理用データに相当する。日記管理用データは、日記の本文を格納した日記ファイル名、日記に掲載する動画を指定する動画データファイル名、開始時刻、および終了時刻を含む。日記アプリケーションは、表示部２に日記を表示するときに、日記データベースから該当する日記管理用データを読み出す。さらに、その日記管理用データに設定された動画データファイルのファイル名、開始時刻、および終了時刻によって、動画データ読み出し要求を作成し、動画データベース管理プログラム１１に入力する。そして、日記アプリケーションは、日記の本文とともに、動画データベース管理プログラム１１から受け取った動画データを表示部２に表示する。【００３６】
図１１に、アルバムデータベースのデータ構造を示す。図１１の各行がデータベースのレコードであり、アルバムの１ページを管理するアルバム管理用データに相当する。アルバム管理用データは、アルバムに掲載するコメント、動画欄の左上座標（ＸＬＵ、ＹＬＵ）、右下座標（ＸＲＵ、ＹＲＵ）、動画を指定する動画データファイル名、開始時刻、および終了時刻を含む。左上座標および右下座標は、アルバムの１ページ内の位置を指定する座標である。【００３７】
アルバムアプリケーションは、表示部２にアルバムを表示するときに、アルバムデータベースから該当するアルバム管理用データを読み出す。さらに、そのアルバム管理用データに設定された動画データファイルのファイル名、開始時刻、および終了時刻によって、動画データ読み出し要求を作成し、動画データベース管理プログラム１１に入力する。そして、アルバムアプリケーションは、アルバムのコメントとともに、動画データベース管理プログラム１１から受け取った動画データを表示部２中の動画欄に表示する。【００３８】
図１２に、アプリケーションプログラム１２の一例として、電話帳プログラムの電話帳登録処理のフローチャートを示す。この処理では、情報処理装置は、まず、ユーザから指定された着信先の電話番号を読み取る（Ｓ１０）。着信先の電話番号は、ユーザからのキー入力、発信履歴、着信履歴等から指定される。【００３９】
次に、情報処理装置は、ユーザから着信先の名前、コメント、電話の種別等の入力を受ける（Ｓ１１）。次に、情報処理装置は、動画データファイルの選択を受け付ける（Ｓ１２）。動画データファイルは、通常は、電話帳の着信先に関連するファイルである。この場合、情報処理装置は、動画データベース管理プログラム１１から動画データファイルの一覧を入手し、表示部２に表示する。ユーザは、情報処理装置のキーによってカーソルを操作し、所望の動画データファイルを選択する。【００４０】
次に、情報処理装置は、動画データファイルの開始時刻、および終了時刻の入力を受け付ける（Ｓ１３）。そして、情報処理装置は、以上のような着信先の電話番号、名前、コメント、電話の種別、動画データファイル、開始時刻、および終了時刻を含む電話帳データを電話帳データベースに登録する（Ｓ１４）。【００４１】
図１３に、電話帳プログラムの電話帳表示処理のフローチャートを示す。この処理では、情報処理装置は、まず、発信先を特定する名前等の選択を受け付ける（Ｓ２０）。例えば、情報処理装置は、電話帳データの一覧を表示し、ユーザに発信先を選択させる。【００４２】
そして、情報処理装置は、その電話帳データに設定されている名前、コメント、電話の種別、電話番号等を表示する（Ｓ２１）。次に、情報処理装置は、電話帳データから動画データファイル名、開始時刻、および終了時刻を読み出す（Ｓ２２）。【００４３】
そして、情報処理装置は、動画データファイル名、開始時刻、および終了時刻を指定して、動画データベース管理プログラム１１に対して動画データの読み出し要求を入力する（Ｓ２３）。【００４４】
そして、情報処理装置は、表示部２に、電話帳データとともに、動画データベース管理プログラム１１から引き渡された動画データを表示する（Ｓ２４）。この表示は、ユーザから終了の指定があるまで継続される（Ｓ２５でＮＯの場合）。そして、ユーザからの終了操作を検知すると情報処理プログラムは、電話帳表示処理を終了する（Ｓ２５でＹＥＳの場合）。ここで、終了操作は、表示の終了操作の他、電話の発信操作も含む。【００４５】
ここでは、電話帳アプリケーションの処理を説明した。しかし、動画データベース管理プログラム１１とのインターフェースを通じた処理については、他のアプリケーションも同様である。以上述べたように、本実施形態の情報処理装置によれば、様々な入力元で取得された動画データを動画データベース５に蓄積し、多種多様なアプリケーションに利用できる。【００４６】
《第２実施形態》
上記第１実施形態では、携帯電話等の情報処理装置において、様々な入力元で取得された動画データを動画データベース５に蓄積し、多種多様なアプリケーションに利用する例を説明した。【００４７】
本実施形態では、動画データを管理する装置と、その管理する装置に動画データを要求し動画データの提供を受ける装置によって構成される情報処理システムの例を説明する。【００４８】
図１４は、本情報システムの構成を示す図である。図１４のように、本情報システムは、動画データ要求装置２０と、動画データ管理装置３０とによって構成される。動画データ要求装置２０は、例えば、電話帳データ、壁紙管理用データ、日記管理用データ、アルバム管理用データ等のデータを有し、アプリケーションを実行する。ここで、動画データ要求装置２０は、例えば、携帯電話、携帯情報端末、パーソナルコンピュータ、デジタルテレビジョン等である。【００４９】
また、本実施形態の動画データ要求装置２０は、所定のタイミングでシンクロ処理を実行する。シンクロ処理は、動画データ要求装置２０と、動画データ管理装置３０との間で、動画データを一致させる処理である。所定のタイミングとは、設定された時間間隔、設定された起動時刻、あるいは指定のイベントが発生したときである。【００５０】
シンクロ処理では、動画データ要求装置２０は、動画データ管理装置３０が保持する動画データファイルの一覧を入手する。そして、動画データファイルの一覧と、実際に保持する動画データファイルとを比較する。そして、入手した一覧中に、動画データ要求装置２０が保持しない動画データファイルがあったときに、動画データ要求装置２０は、動画データ管理装置３０に、その動画データの送信要求を送信する。ただし、動画データファイルの一覧に、動画データファイルの更新日時を記録しておき、入手した一覧中の更新日時が、動画データ管理装置３０が保持する動画データファイルの更新日時より新しいか否かを判定してもよい。そして、入手した一覧中の更新日時が、動画データ管理装置３０が保持する動画データファイルの更新日時より新しい場合に、動画データ要求装置２０は、動画データ管理装置３０に、その動画データの送信要求を送信してもよい。【００５１】
このとき、動画データ管理装置３０は、外部に開示してもよい範囲である開始時刻から終了時刻の間の動画データを抽出し、その抽出された動画データを動画データ要求装置２０に送信する。ここで、動画データ管理装置３０は、例えば、携帯電話、携帯情報端末、パーソナルコンピュータ、デジタルテレビジョン、ハードディスク内蔵の録画装置等である。【００５２】
図１５に、動画データ管理装置３０が保持する動画データ管理テーブルのデータ構造を示す。図１５の各行が、１つの動画データを管理するための管理データである。この管理データは、動画データファイル名、非公開範囲１、・・・、非公開範囲Ｎを有する。動画データファイル名は、管理対象の動画データファイルの名称である。【００５３】
非公開範囲１、・・・、非公開範囲Ｎは、それぞれ開始時刻および終了時刻を有しており、動画データを非公開にすべき時間範囲を指定する。ここで、開始時刻、および終了時刻は、それぞれ動画の先頭からの再生時刻である。なお、非公開範囲１、・・・、非公開範囲Ｎを格納する代わりに、公開してもよい範囲を開始時刻、および終了時刻で指定してもよい。その場合も、図１５の場合と同様、公開範囲１、・・・、公開範囲Ｎのように、動画データ管理テーブルに記憶すればよい。【００５４】
ユーザが情報処理装置の入力手段、例えば、キー４等を通じて公開可能範囲または非公開範囲を設定し、動画データベース５に格納するようにすればよい。この処理を実行する情報処理装置がデータ範囲受け付け部に相当する。【００５５】
図１６に、動画データ要求装置２０のシンクロ処理を示す。この処理では、まず、動画データ要求装置２０は、動画データファイルのリストを動画データ管理装置３０から受信する（Ｓ３０）。そして、受信した動画データファイルのリストと、動画データ要求装置２０が保持している動画データファイルの一覧を比較する（Ｓ３１）。【００５６】
そして、受信したリストと、保持している動画データファイルの一覧との間に不一致があるかどうかを判定する（Ｓ３２）。ここで、不一致とは、受信したリスト中のいずれかの動画データファイルが、一覧に存在しない場合、あるいは、受信したリスト中のいずれかの動画データファイルの更新日時が保持している動画データファイルより新しい場合等である。【００５７】
Ｓ３２の判定で不一致があると、動画データ要求装置２０は、動画データファイルの送信要求を動画データ管理装置３０に送信する（Ｓ３３）。この動画データ送信要求には、動画フォーマットの指定が含まれている。動画データフォーマットの指定とは、例えば、動画の形式（ＭＰＥＧ２等）、動画の解像度、寸法等である。そして、動画データ要求装置２０は、動画データ管理装置３０から動画データを取得し、自装置の動画データベースに格納する（Ｓ３４）。【００５８】
図１７に、動画データ管理装置３０の処理を示す。この処理では、動画データ管理装置３０は、動画データ要求装置２０から動画データファイル名、およびフォーマットを指定した動画データ送信要求を受信する（Ｓ４０）。この処理を実行する動画データ管理装置３０が受け付け部に相当する。【００５９】
次に、動画データ管理装置３０は、指定された動画データファイルを動画データベース５から読み出す。そして、その動画データファイルに含まれる動画データのうち、非公開範囲を削除する（Ｓ４１）。なお、図１５の動画データ管理テーブルに動画データの公開範囲を保持する場合には、その公開範囲だけを抽出するようにすればよい。【００６０】
次に、動画データ管理装置３０は、指定された動画データを指定のフォーマットに変換する（Ｓ４２）。そして、動画データ管理装置３０は、フォーマットが変換された動画データを動画データ要求装置２０に送信する（Ｓ４３）。【００６１】
以上述べたように、本実施形態の情報処理システムによれば、動画データは、動画データ管理装置３０で管理されるとともに、シンクロ処理によって、動画データがないことが認識された動画データ要求装置２０に動画データが提供される。その場合に、動画データ提供装置３０側で、動画データ要求装置２０の要求するフォーマットに動画が変換される。したがって、動画データ要求装置２０が携帯電話、携帯情報端末のような資源が十分でない装置であっても、動画データ要求装置２０の負荷の増加を抑制した状態で、必要な形式の動画データを提供できる。【００６２】
さらに、本情報処理システムでは、動画データ提供装置３０が動画データを提供するときに、非公開範囲を削除し、公開範囲を抽出する処理を実行する。この処理によって、外部に公開したくない部分を含む動画データを動画データ提供装置３０にて管理しつつ、公開してもよい箇所だけを外部の装置に提供できる。【００６３】
なお、本実施形態では、動画データ要求装置２０において、必要な動画のフォーマットを動画データ送信要求とともに、動画データ管理装置３０に送信した。しかし、このような処理に代えて、動画データ管理装置３０にて、動画データ要求装置２０の仕様にしたがって動画データのフォーマットの指定を保持しておいてもよい。例えば、動画データ要求装置２０のアドレス、または装置の識別情報とともに、動画データの形式、動画の解像度、寸法等を保持しておくようにすればよい。そして、動画データ要求装置２０から動画データ送信要求を受信したときに、動画データ要求装置２０を識別する情報を基に、動画データのフォーマットの指定を参照し、動画データのフォーマットを変換すればよい。【００６４】
また、動画データ要求装置２０で使用するフォーマットが予め定まっている場合には、固定のフォーマットに変換してもよい。例えば、動画データ要求装置２０が特定の仕様の携帯電話に限定される場合である。【００６５】
＜変形例＞
上記第１実施形態では、動画データ要求装置２０からの送信要求にしたがって、動画データベース５に格納した動画から、公開可能な部分を抽出して、送信した。【００６６】
この場合に、送信要求にユーザを識別するユーザＩＤ含めるようにしてもよい。また、動画データ管理装置３０にて管理される動画データのそれぞれについても、ユーザＩＤを付与しておく。そして、動画データ要求装置２０から動画データを要求したユーザのユーザＩＤが、動画データに付与されたユーザＩＤと一致する場合には、非公開範囲を含めて、そのユーザに要求された動画データを送信する。一方、動画データ要求装置２０から動画データを要求したユーザのユーザＩＤが、動画データに付与されたユーザＩＤと一致しない場合に、非公開範囲を除外し、公開範囲だけを抽出するようにすればよい。【００６７】
図１８に、ユーザＩＤにしたがって、動画データの非公開範囲の削除の要否を判断する処理の例を示す。この処理では、動画データ管理装置３０は、動画データ要求装置２０から動画データファイル名、フォーマット、およびユーザＩＤを指定した動画データ送信要求を受信する（Ｓ４０Ａ）。この処理を実行する動画データ管理装置３０が相手ユーザ情報獲得部に相当する。【００６８】
そして、動画データ管理装置３０は、送信要求されている動画データファイルのユーザＩＤを動画データベース５から取得する。この処理を実行する動画データ管理装置３０が相手ユーザ情報獲得部に相当する。そして、動画データ管理装置３０は、送信要求されている動画データファイルのユーザＩＤと、受信ユーザＩＤとを比較する（Ｓ４０Ｂ）。そして、２つのユーザＩＤが一致しない場合に（Ｓ４０ＣでＮＯ）、動画データ管理装置３０は、動画データファイルから非公開範囲を除外する（Ｓ４１）。一方、２つのユーザＩＤが一致する場合に（Ｓ４０ＣでＹＥＳ）、動画データ管理装置３０は、処理をＳ４２に進める。以降の処理は、図１７の場合と同様である。【００６９】
以上の処理によれば、ユーザが動画データ要求装置２０から動画データ管理装置３０に、ユーザ自身の動画データを要求する場合には、非公開範囲を含めてその動画データを入手できる。一方、動画データファイルに保持されたユーザＩＤのユーザ以外の者がその動画データを要求した場合には、非公開範囲を除外した動画データファイルが提供される。このように、動画データ要求装置２０のユーザに応じて、公開範囲をきめ細かく制御できる。【００７０】
《第３実施形態》
上記第２実施形態では、動画データ要求装置２０と動画データ管理装置３０とのシンクロ処理の例を示した。第２実施形態の情報処理システムでは、動画データ管理装置３０が動画データベース５を管理し、動画データ要求装置２０の要求にしたがって、動画データを提供した。【００７１】
このような構成に代えて、動画データ要求装置２０側に、動画データベース５を設けてもよい。一方、動画データ要求装置２０にデータを提供する装置は、例えば、カメラ付きの携帯電話等であってもよい。この構成を図１９に示す。【００７２】
図１９の構成では、例えば、携帯電話で撮影された動画データが動画データ要求装置２０に供給され、動画データ要求２０の動画データベースに格納される。このとき、ユーザが携帯電話１のキー４あるいは動画データ要求装置２０の入力手段を通じて公開可能範囲または非公開範囲（図１５参照）を設定し、動画データベース５に格納するようにすればよい。この処理を実行する動画データ要求装置２０がデータ範囲受け付け部に相当する。
動画データ要求装置２０では、動画データベース管理プログラム１１が実行されており、様々なアプリケーションに動画データが供給される。その場合の動画データベース管理プログラム１１とアプリケーション１２の処理は、第１実施形態の場合と同様である。
【図１】
2009016759.tif 000003
【図２】
2009016759.tif 000004
【図３】
2009016759.tif 000005
【図４】
2009016759.tif 000006
【図５】
2009016759.tif 000007
【図６】
2009016759.tif 000008
【図７】
2009016759.tif 000009
【図８】
2009016759.tif 000010
【図９】
2009016759.tif 000011
【図１０】
2009016759.tif 000012
【図１１】
2009016759.tif 000013
【図１２】
2009016759.tif 000014
【図１３】
2009016759.tif 000015
【図１４】
2009016759.tif 000016
【図１５】
2009016759.tif 000017
【図１６】
2009016759.tif 000018
【図１７】
2009016759.tif 000019
【図１８】
2009016759.tif 000020
【図１９】
2009016759.tif 000021
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
動画データを識別する識別情報と関連づけて前記動画データを格納するデータベース部と、
動画データを再生する複数のアプリケーションのいずれかから、前記識別情報によって指定された動画データの読み出し要求を受け付ける受け付け部と、
前記読み出し要求で指定された動画データを前記データベース部から読み出し、前記読み出し要求元のアプリケーションに引き渡すデータ管理部と、
前記データ管理部から引き渡される動画データを再生する複数のアプリケーションを実行する実行部と、
前記アプリケーションによる処理の対象とすることが許容される許容データ範囲の入力を受け付けるデータ範囲受け付け部と、を備え、
前記データベース部は、前記動画データとともに前記入力された許容データ範囲を格納する情報機器。
【請求項２】
前記動画データ管理部は、動画データの入力要求を受け付け、その入力要求にしたがって前記動画データを入力する入力部を有する請求項１に記載の情報機器。
【請求項３】
前記実行部で実行されるアプリケーションには、電話帳管理アプリケーション、壁紙表示アプリケーション、日記作成表示アプリケーション、および動画アルバムアプリケーションの少なくとも２以上が含まれる請求項１または２に記載の情報機器。
【請求項４】
他の情報機器と通信する通信部と、
前記送信するデータを前記他の情報機器にて表示されるデータ形式に変更するデータ形式変更部と、をさらに備え、
前記データ管理部は、前記通信部を介して前記他の情報機器にない動画データで前記データベース部に格納されている動画データまたは前記データベース部に格納されている動画データで前記他の情報機器にある動画データよりも更新日時が新しい動画データの送信要求を受け付けるとともに、送信要求を受け付けた動画データで、前記データ形式が変更された動画データを前記他の情報機器に送信する請求項１から３のいずれか１項に記載の情報機器。
【請求項５】
前記他の情報機器の現在のユーザを指定する情報を取得する相手ユーザ情報獲得部と、
前記データベース部に格納された動画データのユーザを識別する情報を取得する自ユーザ情報獲得部と、をさらに備え、
前記データ管理部は、前記相手ユーザ情報と前記自ユーザ情報とが整合しないときに、前記許容データ範囲に限定して前記データを送信し、前記相手ユーザ情報と前記自ユーザ情報とが整合するときに、前記許容データ範囲に限定することなく前記データを送信する請求項４に記載の情報機器。
【請求項６】
前記データ管理部は、前記データベース部にない動画データで前記他の情報機器に格納されている動画データまたは前記他の情報機器にある動画データで前記データベース部に格納されている動画データよりも更新日時が新しい動画データの送信を要求し、その要求にしたがって送信される動画データを受信し、前記データベースに格納する請求項４または５に記載の情報機器。
【請求項７】
コンピュータに、動画データを識別する識別情報と関連づけて前記動画データを格納する、そのようなデータベース部を管理させるプログラムであり、
アプリケーションによる処理の対象とすることが許容される許容データ範囲の入力を受け付けるデータ範囲受け付けステップと、
動画データとともに前記入力された許容データ範囲をデータベース部に格納するステップと、
動画データを再生する複数のアプリケーションのいずれかから、前記識別情報によって指定された動画データの読み出し要求を受け付けるステップと、
前記読み出し要求で指定された動画データを前記データベース部から読み出し、前記読み出し要求元のアプリケーションに引き渡すステップと、を実行させるプログラム。
【請求項８】
プログラムをコンピュータにローディングするためのコンピュータ読み取り可能な記録媒体であり、前記プログラムは、前記コンピュータに、動画データを識別する識別情報と関連づけて前記動画データを格納するデータベース部を管理させるプログラムであり、
アプリケーションによる処理の対象とすることが許容される許容データ範囲の入力を受け付けるデータ範囲受け付けステップと、
動画データとともに前記入力された許容データ範囲をデータベース部に格納するステップと、
動画データを再生する複数のアプリケーションのいずれかから、前記識別情報によって指定された動画データの読み出し要求を受け付けるステップと、
前記読み出し要求で指定された動画データを前記データベース部から読み出し、前記読み出し要求元のアプリケーションに引き渡すステップと、を実行させるプログラムを記録したコンピュータ読み取り可能な記録媒体。
【手続補正２】
【補正対象書類名】明細書
【補正対象項目名】００５０
【補正方法】変更
【補正の内容】
【００５０】
シンクロ処理では、動画データ要求装置２０は、動画データ管理装置３０が保持する動画データファイルの一覧を入手する。そして、動画データファイルの一覧と、実際に保持する動画データファイルとを比較する。そして、入手した一覧中に、動画データ要求装置２０が保持しない動画データファイルがあったときに、動画データ要求装置２０は、動画データ管理装置３０に、その動画データの送信要求を送信する。ただし、動画データファイルの一覧に、動画データファイルの更新日時を記録しておき、入手した一覧中の更新日
時が、動画データ要求装置２０が保持する動画データファイルの更新日時より新しいか否かを判定してもよい。そして、入手した一覧中の更新日時が、動画データ要求装置２０が保持する動画データファイルの更新日時より新しい場合に、動画データ要求装置２０は、動画データ管理装置３０に、その動画データの送信要求を送信してもよい。
【手続補正３】
【補正対象書類名】明細書
【補正対象項目名】００７２
【補正方法】変更
【補正の内容】
【００７２】
図１９の構成では、例えば、携帯電話で撮影された動画データが動画データ要求装置２０に供給され、動画データ要求２０の動画データベースに格納される。このとき、ユーザが携帯電話１のキー４あるいは動画データ要求装置２０の入力手段を通じて公開可能範囲または非公開範囲（図１５参照）を設定し、動画データベース５に格納するようにすればよい。この処理を実行する動画データ要求装置２０がデータ範囲受け付け部に相当する。動画データ要求装置２０では、動画データベース管理プログラム１１が実行されており、様々なアプリケーションに動画データが供給される。その場合の動画データベース管理プログラム１１とアプリケーション１２の処理は、第１実施形態または第２実施形態の場合と同様である。
（その他）本実施形態は、以下の態様（付記という）を含む。
（付記１）
動画データを識別する識別情報と関連づけて前記動画データを格納するデータベース部と、
動画データを再生する複数のアプリケーションのいずれかから、前記識別情報によって指定された動画データの読み出し要求を受け付ける受け付け部と、
前記読み出し要求で指定された動画データを前記データベース部から読み出し、前記読み出し要求元のアプリケーションに引き渡すデータ管理部と、
前記データ管理部から引き渡される動画データを再生する複数のアプリケーションを実行する実行部と、を備える情報機器。
（付記２）
前記動画データ管理部は、動画データの入力要求を受け付け、その入力要求にしたがって前記動画データを入力する入力部を有する付記１に記載の情報機器。
（付記３）
前記実行部で実行されるアプリケーションには、電話帳管理アプリケーション、壁紙表示アプリケーション、日記作成表示アプリケーション、および動画アルバムアプリケーションの少なくとも２以上が含まれる付記１または２に記載の情報機器。
（付記４）
他の情報機器と通信する通信部と、
前記送信するデータを前記他の情報機器にて表示されるデータ形式に変更するデータ形式変更部と、をさらに備え、
前記データ管理部は、前記通信部を介して前記他の情報機器にない動画データで前記データベース部に格納されている動画データまたは前記データベース部に格納されている動画データで前記他の情報機器にある動画データよりも更新日時が新しい動画データの送信要求を受け付けるとともに、送信要求を受け付けた動画データで、前記データ形式が変更された動画データを前記他の情報機器に送信する付記１から３のいずれかに記載の情報機器。
（付記５）
前記動画データの送信要求は、前記アプリケーションによる処理の対象となるべきデータの範囲と、処理の対象とならないデータの範囲とを区別するためのデータ範囲の指定情
報を含む付記４に記載の情報機器。
（付記６）
前記入力部は、前記アプリケーションによる処理の対象とすることが許容される許容データ範囲の入力を受け付けるデータ範囲受け付け部をさらに備え、
前記データベース部は、前記動画データとともに前記入力された許容データ範囲を格納する付記１から５のいずれかに記載の情報機器。
（付記７）
前記他の情報機器の現在のユーザを指定する情報を取得する相手ユーザ情報獲得部と、
前記データベース部に格納された動画データのユーザを識別する情報を取得する自ユーザ情報獲得部と、をさらに備え、
前記データ管理部は、前記相手ユーザ情報と前記自ユーザ情報とが整合しないときに、前記許容データ範囲に限定して前記データを送信し、前記相手ユーザ情報と前記自ユーザ情報とが整合するときに、前記許容データ範囲に限定することなく前記データを送信する付記４から６のいずれかに記載の情報機器。
（付記８）
前記データ管理部は、前記データベース部にない動画データで前記他の情報機器に格納されている動画データまたは前記他の情報機器にある動画データで前記データベース部に格納されている動画データよりも更新日時が新しい動画データの送信を要求し、その要求にしたがって送信される動画データを受信し、前記データベースに格納する付記４から７のいずれかに記載の情報機器。
（付記９）
コンピュータに、動画データを識別する識別情報と関連づけて前記動画データを格納する、そのようなデータベース部を管理させるプログラムであり、
動画データを再生する複数のアプリケーションのいずれかから、前記識別情報によって指定された動画データの読み出し要求を受け付けるステップと、
前記読み出し要求で指定された動画データを前記データベース部から読み出し、前記読み出し要求元のアプリケーションに引き渡すステップと、を実行させるプログラム。
（付記１０）
動画データの識別情報とともに前記動画データの入力要求を受け付ける入力受け付けステップと、
前記入力要求にしたがって前記動画データを前記動画データベースに入力する入力ステップと、をさらに備える付記９に記載のプログラム。
（付記１１）
他の情報機器と通信する通信ステップと、
前記他の情報機器にない動画データで前記データベース部に格納されている動画データまたは前記データベース部に格納されている動画データで前記他の情報機器にある動画データよりも更新日時が新しい動画データの送信要求を受け付けるステップと、
前記動画データを前記他の情報機器にて表示されるデータ形式に変更するデータ形式変更ステップと、
前記送信要求を受け付けた動画データで前記データ形式が変更された動画データを前記他の情報機器に送信するステップと、をさらに実行する付記９または１０に記載のプログラム。
（付記１２）
前記動画データの送信要求は、前記アプリケーションによる処理の対象となるべきデータの範囲と、処理の対象とならないデータの範囲とを区別するためのデータ範囲の指定情報を含む付記１１に記載のプログラム。
（付記１３）
前記入力受け付けステップは、前記アプリケーションによる処理の対象とすることが許容される許容データ範囲の入力を受け付けるデータ範囲受け付けステップを有し、
前記入力ステップは、前記動画データとともに前記入力された許容データ範囲を格納す
るステップとをさらに実行する付記１０に記載のプログラム。
（付記１４）
前記他の情報機器の現在のユーザを指定する情報を取得する相手ユーザ情報獲得ステップと、
前記データベース部に格納された動画データのユーザを識別する情報を取得する自ユーザ情報獲得ステップと、
前記相手ユーザ情報と前記自ユーザ情報とが整合しないときに、前記許容データ範囲に限定して前記データを送信し、前記相手ユーザ情報と前記自ユーザ情報とが整合するときに、前記許容データ範囲に限定することなく前記データを送信するステップとをさらに実行する付記１１から１３のいずれかに記載のプログラム。
（付記１５）
前記データベース部にない動画データで前記他の情報機器に格納されている動画データまたは前記他の情報機器にある動画データで前記データベース部に格納されている動画データよりも更新日時が新しい動画データの送信を要求するステップと、
前記要求にしたがって送信される動画データを受信するステップと、
前記受信した動画データを前記動画データベースに格納するステップと、をさらに実行する付記１１から１４のいずれかに記載のプログラム。
（付記１６）
プログラムをコンピュータにローディングするためのコンピュータ読み取り可能な記録媒体であり、前記プログラムは、前記コンピュータに、動画データを識別する識別情報と関連づけて前記動画データを格納するデータベース部を管理させるプログラムであり、
動画データを再生する複数のアプリケーションのいずれかから、前記識別情報によって指定された動画データの読み出し要求を受け付けるステップと、
前記読み出し要求で指定された動画データを前記データベース部から読み出し、前記読み出し要求元のアプリケーションに引き渡すステップと、を実行させるプログラムを記録したコンピュータ読み取り可能な記録媒体。
（付記１７）
動画データを識別する識別情報と関連づけて前記動画データを格納するデータベース部を有するコンピュータが、
動画データを再生する複数のアプリケーションのいずれかから、前記識別情報によって指定された動画データの読み出し要求を受け付けるステップと、
前記読み出し要求で指定された動画データを前記データベース部から読み出し、前記読み出し要求元のアプリケーションに引き渡すステップと、を実行する方法。
【国際調査報告】
2009016759.tif 000022
2009016759.tif 000023
2009016759.tif 000024
2009016759.tif 000025